(57)【要約】【課題】調達リードタイムを固定値として算出された適正在庫量と現実場面における適正在庫量とのギャップを大幅に低減し、現実場面に対する適正在庫量の精度を向上させることができる適正在庫量決定システムを提供する。【解決手段】適正在庫量決定システムにおいて、在庫擬似演算部２０は、固定調達リードタイムパラメータを含む各種パラメータＰＭ１に基づいて求められた第１次案としての適正在庫量に基づく在庫量推移のシミュレーションを行って基準指標値を算出するとともに、可変調達リードタイムパラメータと第１次案としての適正在庫量とを用いた在庫量推移のシミュレーションを行って比較指標値を算出する。在庫基準判定部４３は、比較指標値が基準指標値と同等若しくは基準指標値よりも良化していると判定した場合には、そのときの第１案としての適正在庫量を最終案の適正在庫量として決定する。【選択図】      図１
2009126621.tif 000002
【特許請求の範囲】
【請求項１】
製品の入出庫実績を含む入出庫実績データと、固定値とされた調達リードタイムを示す固定調達リードタイムパラメータを含む各種パラメータとに基づいて、第１次案としての適正在庫量を求める第１次案算出部と、
前記第１次案算出部によって求められた前記第１次案としての適正在庫量に基づく在庫量推移のシミュレーションを行って得られた在庫量推移演算結果に基づいて、当該在庫量推移の良否を数値化した基準指標値を算出する基準指標値算出部と、
可変値とされた調達リードタイムを示す可変調達リードタイムパラメータと前記第１次案としての適正在庫量とを用いた在庫量推移のシミュレーションを行って得られた在庫量推移演算結果に基づいて、当該在庫量推移の良否を数値化した比較指標値を算出する比較指標値算出部と、
前記比較指標値算出部によって算出された比較指標値が、前記基準指標値算出部によって算出された基準指標値よりも悪化していると判定した場合には、前記第１次案としての適正在庫量を更新して前記基準指標値算出部による処理及び前記比較指標値算出部による処理を行わせ、前記比較指標値が前記基準指標値と同等若しくは前記基準指標値よりも良化していると判定した場合には、そのときの前記第１案としての適正在庫量を最終案の適正在庫量として決定する適正在庫量算出部と
を備えることを特徴とする適正在庫量決定システム。
【請求項２】
前記可変調達リードタイムパラメータを算出する可変調達リードタイムパラメータ算出部を備え、
前記可変調達リードタイムパラメータ算出部は、発注をかける直前の出荷量変化率と、そのときの調達リードタイムの実測値とを関連付けたデータを収集し、このデータに基づいて前記可変調達リードタイムパラメータを算出し、前記可変調達リードタイムパラメータを前記シミュレーション時の出荷量変化率に応じて設定させることを特徴とする請求項１に記載の適正在庫量決定システム。
【請求項３】
前記可変調達リードタイムパラメータを算出する可変調達リードタイムパラメータ算出部を備え、
前記可変調達リードタイムパラメータ算出部は、発注時期と、そのときの調達リードタイムの実測値とを関連付けたデータを収集し、このデータに基づいて前記可変調達リードタイムパラメータを算出し、前記可変調達リードタイムパラメータを前記シミュレーション時の発注時期に応じて設定させることを特徴とする請求項１に記載の適正在庫量決定システム。
【請求項４】
前記可変調達リードタイムパラメータ算出部は、所定の設定テーブルから読み出した調達リードタイムの基準値、上限値、下限値、及び刻み値からなる変数に基づいて前記可変調達リードタイムパラメータを算出することを特徴とする請求項２又は請求項３に記載の適正在庫量決定システム。
【請求項５】
製品の入出庫実績を含む入出庫実績データと、固定値とされた調達リードタイムを示す固定調達リードタイムパラメータを含む各種パラメータとに基づいて、第１次案としての適正在庫量を求める第１の工程と、
前記第１の工程にて求められた前記第１次案としての適正在庫量に基づく在庫量推移のシミュレーションを行って得られた在庫量推移演算結果に基づいて、当該在庫量推移の良否を数値化した基準指標値を算出する第２の工程と、
可変値とされた調達リードタイムを示す可変調達リードタイムパラメータと前記第１次案としての適正在庫量とを用いた在庫量推移のシミュレーションを行って得られた在庫量推移演算結果に基づいて、当該在庫量推移の良否を数値化した比較指標値を算出する第３の工程とを備え、
前記第３の工程にて算出された比較指標値が、前記第２の工程にて算出された基準指標値よりも悪化していると判定した場合には、前記第１の工程にて求められた前記第１次案としての適正在庫量を更新し、前記第２の工程及び前記第３の工程を繰り返し行い、
前記比較指標値が前記基準指標値と同等若しくは前記基準指標値よりも良化していると判定した場合には、そのときの前記第１案としての適正在庫量を最終案の適正在庫量として決定すること
を特徴とする適正在庫量決定方法。
【発明の詳細な説明】
【技術分野】
【０００１】
本発明は、在庫管理の基準値である適正在庫量を決定する適正在庫量決定システム及び適正在庫量決定方法に関する。
【背景技術】
【０００２】
製品の入出庫量に応じて当該製品の在庫量を管理する在庫管理では、在庫の製品がなくなる欠品状態が発生せず且つ過剰の在庫を保有しないように適正在庫量を短時間で決定することが要求される。このような適正在庫量を決定する技術としては、例えば特許文献１等に記載されたものがある。
【０００３】
具体的には、特許文献１には、調達期間、入出庫の数量、及び時期等の各実績値に基づいて、在庫量推移シミュレーションに用いる複数のパラメータを求め、欠品発生率が所定の閾値と略同等となるまで在庫量推移をシミュレートすることにより、適正在庫量を決定する技術が開示されている。
【特許文献１】特開平１１−３９４１０号公報
【発明の開示】
【発明が解決しようとする課題】
【０００４】
ところで、上述した特許文献１には、在庫量推移シミュレーションにおいて、在庫量が発注点を下回った場合に固定値の調達リードタイムだけ経過して製品が納入される、といった方法が開示されている。
【０００５】
しかしながら、現実的には、同じ製品を調達する場合であっても、在庫の急激な減少による在庫量推移変化があった場合や、月初や月中といった発注タイミングによる在庫量推移変化がある場合等、状況に応じて調達リードタイムが異なるケースが発生する。
【０００６】
具体的には、従来では、メーカーが在庫を過剰に保有しない代わりに調達先に在庫を過剰に保有させていたが、近年では、調達先及びメーカーの双方ともに在庫を過剰に保有せず、下流（次工程）の動きに同調して事業運営する傾向がある。
【０００７】
このような状況において、急激な製品販売があった場合等、急激な在庫減少が発生したことによって発注がなされた場合を考えると、調達先及びメーカーの双方ともに、販社等の下流の動きに同調しているものの、生産が遅延し、調達リードタイムが長くなるという現象が起こりやすい。逆に、月末に納入予定日がかかるような発注がなされた場合を考える。一般に、在庫の多少の管理指標は、月末棚卸時点での在庫量をもって評価されるため、納入予定日よりも先に在庫の受け渡しを行うのは、遅延するのに比べて受け渡し先の迷惑になりにくいはずという意識から、調達リードタイムが短くなるという現象が起こりやすい。
【０００８】
このように、調達リードタイムは、状況に応じて変動するケースがある。そのため、従来の技術は、調達リードタイムを固定値として行ったシミュレーション結果と現実場面とのギャップが生じることが多かった。
【０００９】
そこで、本発明は、上述したような問題を解決するために案出されたものであり、調達リードタイムを固定値として算出された適正在庫量と現実場面における適正在庫量とのギャップを大幅に低減し、現実場面に対する適正在庫量の精度を向上させることができる適正在庫量決定システム及び適正在庫量決定方法を提供することを目的とする。
【課題を解決するための手段】
【００１０】
本発明は、製品の入出庫実績を含む入出庫実績データと、固定値とされた調達リードタイムを示す固定調達リードタイムパラメータを含む各種パラメータとに基づいて、第１次案としての適正在庫量を求める第１次案算出部と、第１次案算出部によって求められた第１次案としての適正在庫量に基づく在庫量推移のシミュレーションを行って得られた在庫量推移演算結果に基づいて、当該在庫量推移の良否を数値化した基準指標値を算出する基準指標値算出部と、可変値とされた調達リードタイムを示す可変調達リードタイムパラメータと第１次案としての適正在庫量とを用いた在庫量推移のシミュレーションを行って得られた在庫量推移演算結果に基づいて、当該在庫量推移の良否を数値化した比較指標値を算出する比較指標値算出部とを備え、上述の課題を解決するために、適正在庫量算出部によって、比較指標値算出部によって算出された比較指標値が、基準指標値算出部によって算出された基準指標値よりも悪化していると判定した場合には、第１次案としての適正在庫量を更新して基準指標値算出部による処理及び比較指標値算出部による処理を行わせ、比較指標値が基準指標値と同等若しくは基準指標値よりも良化していると判定した場合には、そのときの第１案としての適正在庫量を最終案の適正在庫量として決定する。
【発明の効果】
【００１１】
本発明に係る適正在庫量決定システム及び適正在庫量決定方法によれば、状況によって調達リードタイムを変化させた在庫量推移シミュレーション結果を得ることができ、調達リードタイムを固定値として算出された適正在庫量と現実場面における適正在庫量とのギャップを大幅に低減し、現実場面に対する適正在庫量の精度を向上させることができる。
【発明を実施するための最良の形態】
【００１２】
以下、本発明の実施の形態について図面を参照して説明する。
【００１３】
本発明は、在庫管理の基準値である適正在庫量を決定する適正在庫量決定システムに適用される。この適正在庫量決定システムは、調達リードタイムを固定値として算出された適正在庫量に対して、可変的な調達リードタイムを用いた在庫量推移シミュレーションを行い、適正在庫量の妥当性やリスク等を評価することによって適正在庫量を決定することにより、発注タイミングの判断基準や閾値となる適正在庫量についての現実場面に対する精度向上を図るものである。
【００１４】
先ず、適正在庫量決定システムの機能的な構成について説明する。本発明を適用した適正在庫量決定システムは、図１に示すように、在庫量推移シミュレーションに用いる各種パラメータＰＭ１を算出する在庫基準パラメータ算出部１０と、この在庫基準パラメータ算出部１０によって算出された各種パラメータＰＭ１や後述する可変調達リードタイムパラメータＶＬＴに基づいて在庫量推移を擬似的に演算する在庫擬似演算部２０と、可変調達リードタイムパラメータＶＬＴを算出する可変調達リードタイムパラメータ算出部３０と、在庫擬似演算部２０による在庫量推移演算結果に基づいて適正在庫量を決定する適正在庫量決定部４０とを備える。この適正在庫量決定システムは、例えばパーソナルコンピュータ等から構成され、そのプロセッサによって所定のプログラムを実行することにより、各機能を実現する。
【００１５】
在庫基準パラメータ算出部１０は、製品の入出庫実績を含む入出庫実績データＳＲＤと、所定のマスタ管理部によって管理されている製品に関する情報が記述されたマスタ情報ＭＤとに基づいて、在庫量推移シミュレーションに用いる各種パラメータＰＭ１を算出する。入出庫実績データＳＲＤは、ユーザの入力操作に応じて入力される情報であり、例えば、シミュレーション実施期間、調達リードタイム、入出庫の数量、及び入出庫時期等の各実績値を示す情報からなる。ここで、調達リードタイムは、所定の固定値とされる。すなわち、在庫基準パラメータ算出部１０は、固定値とされた固定調達リードタイムパラメータを含む各種パラメータＰＭ１を算出する。在庫基準パラメータ算出部１０は、算出したパラメータＰＭ１を在庫擬似演算部２０に供給する。
【００１６】
在庫擬似演算部２０は、シミュレーション開始時の在庫量（現在の在庫量）、発注サイクル、及び直近の発注日等の情報がユーザの入力操作に応じて入力されると、入出庫実績データＳＲＤと、在庫基準パラメータ算出部１０によって算出された各種パラメータＰＭ１とに基づいて、在庫量推移を擬似的に演算する。すなわち、在庫擬似演算部２０は、固定調達リードタイムを用いた在庫量推移のシミュレーションを行う。
【００１７】
また、在庫擬似演算部２０は、入出庫実績データＳＲＤと、可変調達リードタイムパラメータ算出部３０によって算出された可変調達リードタイムパラメータＶＬＴとに基づいて、在庫量推移を擬似的に算出する。すなわち、在庫擬似演算部２０は、可変調達リードタイムを用いた在庫量推移のシミュレーションも行う。
【００１８】
在庫擬似演算部２０は、シミュレーションの結果得られた在庫量推移演算結果に基づいて、欠品発生回数（欠品発生率）や在庫回転率等の指標値を算出し、この指標値を適正在庫量決定部４０に供給する。この指標値は、シミュレーションの結果として得られた在庫量推移の良否を数値化したものとなる。このとき、在庫擬似演算部２０は、固定調達リードタイムを用いたシミュレーションの結果得られた在庫量推移演算結果に基づく指標値については、適正在庫量決定部４０における第１の指標値記憶部４１に基準指標値として記憶させる。また、在庫擬似演算部２０は、可変調達リードタイムを用いたシミュレーションの結果得られた在庫量推移演算結果に基づく指標値については、適正在庫量決定部４０における第２の指標値記憶部４２に比較指標値として記憶させる。
【００１９】
可変調達リードタイムパラメータ算出部３０は、入出庫実績データＳＲＤと、ユーザの入力操作に応じて入力された製品の発注実績を含む発注実績データＯＲＤとに基づいて、固定値ではなく可変値とされる可変調達リードタイムを示す可変調達リードタイムパラメータＶＬＴを算出する。可変調達リードタイムパラメータ算出部３０は、算出した可変調達リードタイムパラメータＶＬＴを在庫擬似演算部２０に供給する。
【００２０】
適正在庫量決定部４０は、在庫擬似演算部２０から供給された基準指標値を記憶する第１の指標値記憶部４１と、在庫擬似演算部２０から供給された比較指標値を記憶する第２の指標値記憶部４２と、第１の指標値記憶部４１に記憶された基準指標値と第２の指標値記憶部４２に記憶された比較指標値とに基づいて在庫管理の基準値である適正在庫量を判定する在庫基準判定部４３とを有する。このような適正在庫量決定部４０は、在庫基準判定部４３によって適正と判定された適正在庫量に基づいて各種パラメータＰＭ２を算出する。この各種パラメータＰＭ２は、次回の在庫量推移シミュレーション時に入力されるパラメータとして利用される。
【００２１】
このような各部を備える適正在庫量決定システムは、固定調達リードタイムを用いた在庫量推移シミュレーションを行って適正在庫量を算出するとともに、可変調達リードタイムを用いた在庫量推移シミュレーションを行って適正在庫量を算出し、適正在庫量の妥当性やリスク等を評価することによって最終案としての適正在庫量を決定する。
【００２２】
このような適正在庫量決定システムは、例えば図２に示すような一連の手順にしたがって、最終案としての適正在庫量を決定する。
【００２３】
まず、適正在庫量決定システムは、図２に示すように、ステップＳ１において、入力された入出庫実績データＳＲＤを所定の記憶部に記憶させると、ステップＳ２において、マスタ情報ＭＤに基づいて在庫基準パラメータ算出部１０によって各種パラメータＰＭ１を算出する。このとき、在庫基準パラメータ算出部１０は、上述したように、固定値とされた固定調達リードタイムパラメータを含む各種パラメータＰＭ１を算出する。
【００２４】
続いて、在庫擬似演算部２０は、ステップＳ３において、在庫基準パラメータ算出部１０によって算出された各種パラメータＰＭ１に基づいて、第１次案としての適正在庫量を求め、この適正在庫量に基づく在庫量推移を擬似的に演算する。すなわち、在庫擬似演算部２０は、上述したように、固定調達リードタイムを用いた在庫量推移のシミュレーションを行う。
【００２５】
そして、在庫擬似演算部２０は、ステップＳ４において、シミュレーションの結果得られた在庫量推移演算結果に基づいて、欠品発生回数（欠品発生率）や在庫回転率等の所定の基準指標値を算出し、この基準指標値を第１の指標値記憶部４１に記憶させる。
【００２６】
続いて、適正在庫量決定システムは、ステップＳ５において、入力された発注実績データＯＲＤを所定の記憶部に記憶させると、ステップＳ６において、入出庫実績データＳＲＤと発注実績データＯＲＤとに基づいて可変調達リードタイムパラメータ算出部３０によって可変調達リードタイムパラメータＶＬＴを算出する。なお、この可変調達リードタイムパラメータＶＬＴの算出処理については、後に詳述するものとする。
【００２７】
続いて、在庫擬似演算部２０は、ステップＳ７において、第１次案としての適正在庫量と可変調達リードタイムパラメータ算出部３０によって算出された可変調達リードタイムパラメータＶＬＴとに基づいて在庫量推移を擬似的に演算する。すなわち、在庫擬似演算部２０は、上述したように、可変調達リードタイムを用いた在庫量推移のシミュレーションを行う。
【００２８】
そして、在庫擬似演算部２０は、ステップＳ８において、シミュレーションの結果得られた在庫量推移演算結果に基づいて、欠品発生回数（欠品発生率）や在庫回転率等の所定の比較指標値を算出し、この比較指標値を第２の指標値記憶部４２に記憶させる。
【００２９】
これに応じて、適正在庫量決定部４０における在庫基準判定部４３は、ステップＳ９において、第１の指標値記憶部４１に記憶された基準指標値と、第２の指標値記憶部４２に記憶された比較指標値とを比較し、ステップＳ１０において、比較指標値が基準指標値と同等若しくは基準指標値よりも良化しているか否かを判定する。
【００３０】
ここで、在庫基準判定部４３は、比較指標値が基準指標値よりも悪化していると判定した場合には、ステップＳ１１へと処理を移行し、各種パラメータ（第１次案として求めた適正在庫量）を更新し、ステップＳ７からの処理を繰り返す。
【００３１】
そして、在庫基準判定部４３は、ステップＳ１０において、比較指標値が基準指標値と同等若しくは基準指標値よりも良化していると判定した場合には、ステップＳ１２において、そのときの第１案の適正在庫量を最終案の適正在庫量として決定し、一連の処理を終了する。
【００３２】
これらステップＳ９乃至ステップＳ１１の処理を具体的に説明するために、在庫擬似演算部２０によって欠品発生数と欠品発生日数とを指標値として算出する場合について、図３を用いて説明する。在庫基準判定部４３は、第１の指標値記憶部４１に記憶された基準指標値が、図３（ａ）に示すように、欠品発生数＝３００個、欠品発生日数＝１日であり、第２の指標値記憶部４２に記憶された比較指標値が、図３（ｂ）に示すように、欠品発生数＝１５７１個、欠品発生日数＝２日であった場合には、比較指標値が基準指標値よりも悪化しているので、ステップＳ１１へと処理を移行する。そして、在庫基準判定部４３は、第１次案として求められている適正在庫量（２４００個）を最小発注ロッド分（２００個）だけ引き上げて新たな第１次案の適正在庫量（２６００個）とし、ステップＳ７からの処理を繰り返す。なお、最小発注ロッドは、各種パラメータＰＭ１にて設定される。
【００３３】
続いて、在庫基準判定部４３は、新たな第１次案の適正在庫量（２６００個）として在庫擬似演算部２０によるシミュレーションの結果得られた在庫量推移演算結果に基づいて算出されて第２の指標値記憶部４２に記憶された比較指標値が、図３（ｃ）に示すように、欠品発生数＝１５７１個、欠品発生日数＝２日と変わらなかった場合には、再度ステップＳ１１へと処理を移行する。そして、在庫基準判定部４３は、第１次案として求められている適正在庫量（２６００個）を再度最小発注ロッド分（２００個）だけ引き上げて新たな第１次案の適正在庫量（２８００個）とし、ステップＳ７からの処理を繰り返す。
【００３４】
そして、在庫基準判定部４３は、新たな第１次案の適正在庫量（２８００個）として在庫擬似演算部２０によるシミュレーションの結果得られた在庫量推移演算結果に基づいて算出されて第２の指標値記憶部４２に記憶された比較指標値が、図３（ｄ）に示すように、欠品発生数＝３００個、欠品発生日数＝１日となった場合には、比較指標値が基準指標値と同等であるので、ステップＳ１２へと処理を移行し、そのときの第１案の適正在庫量（２８００個）を最終案の適正在庫量として決定する。
【００３５】
適正在庫量決定システムによれば、このような一連の手順にしたがって、最終案としての適正在庫量を決定することができる。
【００３６】
従来の技術のように、固定調達リードタイムのみを用いた在庫量推移シミュレーション結果は、同じ製品を調達する限り、例えば図４に示すように、在庫量が適正在庫量を下回った場合に発注がなされ、固定された調達リードタイムの時間だけ経過して製品が納入される、といった結果となる。
【００３７】
これに対して、適正在庫量決定システムは、可変調達リードタイムを用いることにより、同じ製品を調達する場合であっても、例えば図５に示すように、状況によって調達リードタイムを変化させた在庫量推移シミュレーション結果を得ることができる。したがって、適正在庫量決定システムは、調達リードタイムを固定値として算出された適正在庫量と現実場面における適正在庫量とのギャップを大幅に低減し、現実場面に対する適正在庫量の精度を向上させることができる。
【００３８】
つぎに、上述したステップＳ５における可変調達リードタイムパラメータＶＬＴの算出処理について説明する。
【００３９】
まず、可変調達リードタイムパラメータ算出部３０は、出荷量変化率に基づいて、可変調達リードタイムパラメータＶＬＴを算出することができる。この場合、可変調達リードタイムパラメータ算出部３０は、調達リードタイムの実測値を収集し、この実測した調達リードタイム値に基づいて、可変調達リードタイムパラメータＶＬＴを算出する。
【００４０】
この処理を具体的に説明するために、例えば図６（ａ）に示すような入出庫実績データＳＲＤと発注実績データＯＲＤとが可変調達リードタイムパラメータ算出部３０に入力された場合を考える。
【００４１】
この場合、可変調達リードタイムパラメータ算出部３０は、注文番号をキーとして、発注と入庫とを関連付け、調達リードタイムの実測値を抽出し、さらに、注文日付の直近Ｎ日に対して出荷データに基づいて出荷量変化率を算出し、例えば図６（ｂ）に示すように、注文毎の出荷量変化率と、そのときの調達リードタイムの実測値とを関連付けた調達リードタイム明細データを作成する。
【００４２】
なお、出荷量変化率は、固定期間（Ｎ日）における出荷量をＡとし、全体期間における出荷量をＢとし、全体期間をＭ日とすると、
出荷量変化率＝（Ａ／Ｂ）×（Ｍ／Ｎ）
として求めることができる。
【００４３】
そして、可変調達リードタイムパラメータ算出部３０は、作成した調達リードタイム明細データに基づいて、例えば図６（ｃ）に示すように、出荷量変化率毎に実測した調達リードタイム値を割り当て、これに基づいて、可変調達リードタイムパラメータＶＬＴを算出する。例えば、可変調達リードタイムパラメータ算出部３０は、図７に示すように、ある製品について実測した複数の調達リードタイム値が所定の範囲内にあるような場合には、それら調達リードタイム値の平均値を可変調達リードタイムパラメータＶＬＴとして算出する。
【００４４】
また、可変調達リードタイムパラメータ算出部３０は、図８に示すように、ある製品についての既存の調達リードタイム値がある場合には、その既存の調達リードタイム値に実績を反映させた値を可変調達リードタイムパラメータＶＬＴとして算出してもよい。
【００４５】
このように、可変調達リードタイムパラメータ算出部３０は、発注をかける直前の出荷量変化率と、そのときの調達リードタイムの実測値とを関連付けたデータを収集し、このデータに基づいて可変調達リードタイムパラメータＶＬＴを算出することができる。そして、在庫擬似演算部２０は、このようにして算出された可変調達リードタイムパラメータＶＬＴを、在庫量推移シミュレーション時の出荷量変化率に応じて設定することになる。
【００４６】
適正在庫量決定システムによれば、このようにして算出した可変調達リードタイムパラメータＶＬＴを用いることにより、急激な製品販売等による調達リードタイムの影響を考慮した在庫量推移シミュレーションを行うことができ、適正在庫量の精度を向上させることができる。
【００４７】
また、可変調達リードタイムパラメータ算出部３０は、稼働日何日目等、発注時期に基づいて、可変調達リードタイムパラメータＶＬＴを算出することもできる。この場合にも、可変調達リードタイムパラメータ算出部３０は、調達リードタイムの実測値を収集し、この実測した調達リードタイム値に基づいて、可変調達リードタイムパラメータＶＬＴを算出する。
【００４８】
この処理を具体的に説明するために、例えば図９（ａ）に示すような調達リードタイム明細データが作成されている場合を考える。なお、この調達リードタイム明細データは、上述したように、入出庫実績データＳＲＤと発注実績データＯＲＤとに基づいて、注文番号をキーとして、発注と入庫とを関連付け、調達リードタイムの実測値を抽出し、さらに、注文日付の直近Ｎ日に対して出荷データに基づいて出荷量変化率を算出することによって作成される。
【００４９】
この場合、可変調達リードタイムパラメータ算出部３０は、作成した調達リードタイム明細データに基づいて、例えば図９（ｂ）に示すように、発注時期毎に実測した調達リードタイム値を割り当て、これに基づいて、可変調達リードタイムパラメータＶＬＴを算出する。なお、可変調達リードタイムパラメータ算出部３０は、例えば図１０に示すように、月内を第１期間乃至第６期間に６分割して各期間を１つの発注時期とし、各期間毎に実測した調達リードタイム値を割り当てる。このとき、可変調達リードタイムパラメータ算出部３０は、第６期間とそれ以前の稼働日とが重複するような場合には、第６期間を優先するものとする。
【００５０】
このように、可変調達リードタイムパラメータ算出部３０は、発注時期と、そのときの調達リードタイムの実測値とを関連付けたデータを収集し、このデータに基づいて可変調達リードタイムパラメータＶＬＴを算出することができる。そして、在庫擬似演算部２０は、このようにして算出された可変調達リードタイムパラメータＶＬＴを、在庫量推移シミュレーション時の発注時期に応じて設定することになる。
【００５１】
適正在庫量決定システムによれば、このようにして算出した可変調達リードタイムパラメータＶＬＴを用いることにより、調達先の早期在庫出荷等による調達リードタイムの影響を考慮した在庫量推移シミュレーションを行うことができ、適正在庫量の精度を向上させることができる。
【００５２】
さらに、可変調達リードタイムパラメータ算出部３０は、発注実績や入出庫実績がない場合には、以下のようにして可変調達リードタイムパラメータＶＬＴを算出することができる。
【００５３】
すなわち、可変調達リードタイムパラメータ算出部３０は、可変調達リードタイムパラメータＶＬＴを、例えば図１１（ａ）に示すように、基準値、上限値、下限値、及び刻み値といった変数として設定可能なように、これら変数を格納した調達リードタイム設定テーブルをメモリ等に格納しておく。そして、可変調達リードタイムパラメータ算出部３０は、基準値を中心とした例えば８０％〜１２０％といった所定範囲内で、刻み値ずつ加算又は減算した値を調達リードタイム値とし、図１１（ｂ）に示すように、その調達リードタイム値を出荷量変化率又は発注時期毎に割り当て、これに基づいて、可変調達リードタイムパラメータＶＬＴを算出する。
【００５４】
このように、適正在庫量決定システムによれば、可変調達リードタイムパラメータＶＬＴを変数として設定可能とすることにより、実績値による可変調達リードタイムパラメータＶＬＴが整備されていないような状況であっても、想定するリスクを取り込んだ上での適正在庫量の設定を行うことが可能となる。
【００５５】
以上詳細に説明したように、本発明の実施形態に係る適正在庫量決定システムによれば、在庫擬似演算部２０により、固定調達リードタイムパラメータを含む各種パラメータＰＭ１に基づいて求められた第１次案としての適正在庫量に基づく在庫量推移のシミュレーションを行い、その在庫量推移演算結果に基づいて所定の基準指標値を算出するとともに、可変調達リードタイムパラメータと第１次案としての適正在庫量とを用いた在庫量推移のシミュレーションを行い、その在庫量推移演算結果に基づいて所定の比較指標値を算出する。そして、本発明に係る適正在庫量決定システムは、適正在庫量決定部４０における在庫基準判定部４３により、比較指標値が基準指標値よりも悪化していると判定した場合には、第１次案としての適正在庫量を更新して指標値の算出処理を繰り返し行うとともに、比較指標値が基準指標値と同等若しくは基準指標値よりも良化していると判定した場合には、そのときの第１案としての適正在庫量を最終案の適正在庫量として決定する。
【００５６】
したがって、この適正在庫量決定システムによれば、状況によって調達リードタイムを変化させた在庫量推移シミュレーション結果を得ることができ、調達リードタイムを固定値として算出された適正在庫量と現実場面における適正在庫量とのギャップを大幅に低減し、現実場面に対する適正在庫量の精度を向上させることができる。
【００５７】
また、この適正在庫量決定システムにおいて、可変調達リードタイムパラメータ算出部３０は、発注をかける直前の出荷量変化率と、そのときの調達リードタイムの実測値とを関連付けたデータを収集し、このデータに基づいて可変調達リードタイムパラメータＶＬＴを算出し、この可変調達リードタイムパラメータＶＬＴを、在庫擬似演算部２０によるシミュレーション時の出荷量変化率に応じて設定させる。
【００５８】
これにより、この適正在庫量決定システムによれば、急激な製品販売等による調達リードタイムの影響を考慮した在庫量推移シミュレーションを行うことができ、適正在庫量の精度を向上させることができる。
【００５９】
さらに、この適正在庫量決定システムにおいて、可変調達リードタイムパラメータ算出部３０は、発注時期と、そのときの調達リードタイムの実測値とを関連付けたデータを収集し、このデータに基づいて可変調達リードタイムパラメータＶＬＴを算出し、この可変調達リードタイムパラメータＶＬＴを、在庫擬似演算部２０によるシミュレーション時の発注時期に応じて設定させる。
【００６０】
これにより、この適正在庫量決定システムによれば、調達先の早期在庫出荷等による調達リードタイムの影響を考慮した在庫量推移シミュレーションを行うことができ、適正在庫量の精度を向上させることができる。
【００６１】
さらにまた、この適正在庫量決定システムによれば、可変調達リードタイムパラメータ算出部３０は、所定の調達リードタイム設定テーブルから読み出した調達リードタイムの基準値、上限値、下限値、及び刻み値からなる変数に基づいて可変調達リードタイムパラメータＶＬＴを算出することにより、実績値による可変調達リードタイムパラメータＶＬＴが整備されていないような状況であっても、想定するリスクを取り込んだ上での適正在庫量の設定を行うことができる。
【００６２】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００６３】
【図１】本発明を適用した適正在庫量決定システムの機能的な構成を示すブロック図である。
【図２】本発明を適用した適正在庫量決定システムにおいて最終案としての適正在庫量を決定する際の一連の処理を示すフローチャートである。
【図３】本発明を適用した適正在庫量決定システムにおいて、在庫擬似演算部によって欠品発生数と欠品発生日数とを指標値として算出した場合に、最終案としての適正在庫量を決定する様子を説明するための図である。
【図４】従来の技術において、固定調達リードタイムのみを用いた在庫量推移シミュレーションによる結果の具体例を示す図である。
【図５】本発明を適用した適正在庫量決定システムにおいて、可変調達リードタイムを用いた在庫量推移シミュレーションによる結果の具体例を示す図である。
【図６】本発明を適用した適正在庫量決定システムにおいて、出荷量変化率に基づいて、可変調達リードタイムパラメータを算出する様子を説明するための図である。
【図７】本発明を適用した適正在庫量決定システムにおいて、実測した複数の調達リードタイム値の平均値を可変調達リードタイムパラメータとして算出する様子を説明するための図である。
【図８】本発明を適用した適正在庫量決定システムにおいて、既存の調達リードタイム値に実績を反映させた値を可変調達リードタイムパラメータとして算出する様子を説明するための図である。
【図９】本発明を適用した適正在庫量決定システムにおいて、発注時期に基づいて、可変調達リードタイムパラメータを算出する様子を説明するための図である。
【図１０】本発明を適用した適正在庫量決定システムにおいて、月内を第１期間乃至第６期間に６分割して各期間を１つの発注時期とし、各期間毎に実測した調達リードタイム値を割り当てる様子を説明するための図である。
【図１１】本発明を適用した適正在庫量決定システムにおいて、可変調達リードタイムパラメータを変数として設定可能とした場合に、当該可変調達リードタイムパラメータを算出する様子を説明するための図である。
【符号の説明】
【００６４】
１０  在庫基準パラメータ算出部
１１  特開平
２０  在庫擬似演算部
３０  可変調達リードタイムパラメータ算出部
４０  適正在庫量決定部
４１  第１の指標値記憶部
４２  第２の指標値記憶部
４３  在庫基準判定部
【図１】
2009126621.tif 000003
【図２】
2009126621.tif 000004
【図３】
2009126621.tif 000005
【図４】
2009126621.tif 000006
【図５】
2009126621.tif 000007
【図６】
2009126621.tif 000008
【図７】
2009126621.tif 000009
【図８】
2009126621.tif 000010
【図９】
2009126621.tif 000011
【図１０】
2009126621.tif 000012
【図１１】
2009126621.tif 000013